(57)【要約】【課題】稼動中のＰＯＳ端末の全ての設置場所を把握できるようにする。【解決手段】  本発明のＰＯＳ端末は、製品型番、製造番号及び設置場所の情報である装置設置情報を入力する情報入力部と、装置設置情報と、装置導入情報が登録されたサーバのクラウド上のＵＲＬとを、マトリックス型二次元コードであるＱＲコードに変換して出力する変換手段と、ＱＲコードを表示する表示部と、を備えている。表示部に表示されたＱＲコードを携帯通信端末のバーコードリーダで読み取ると、携帯通信端末の画面上に、装置導入情報が登録されているサーバのクラウド上のＵＲＬが表示され、ＵＲＬへジャンプすることで、サーバに登録されている装置導入情報に装置設置情報を上書き保存することができる。これにより、営業事務所の管理ＰＣからサーバにアクセスすることにより、稼動中の全てのＰＯＳ端末の設置場所を把握することができる。【選択図】図１
2016146138.tif 000002
【特許請求の範囲】
【請求項１】
製品型番、製造番号、設置場所の情報である装置設置情報を入力する情報入力部と、
前記装置設置情報を含む装置導入情報が登録されたサーバのクラウド上の情報資源の場所とその属性を指定するアドレスであるＵＲＬとを、マトリックス型二次元コードに変換して出力する変換手段と、
前記マトリックス型二次元コードを表示する表示部と、
を備えることを特徴とするＰＯＳ端末。
【請求項２】
前記ＰＯＳ端末は、更に、
完了コードを前記情報入力部から入力することで、前記装置設置情報を前記サーバへ登録したことを記録するように構成され、
前記完了コードは、
前記マトリックス型二次元コードを携帯通信端末のカメラスキャナで読み取り、前記携帯通信端末から前記サーバへ前記装置設置情報を送信すると、前記サーバは登録されている前記装置導入情報に前記装置設置情報を上書き保存し、その後、前記サーバから前記携帯通信端末へ送信されるコードであることを特徴とする請求項１に記載のＰＯＳ端末。
【請求項３】
前記情報入力部と前記表示部とがタッチパネルとして一体的に形成されたであることを特徴とする請求項１又は２に記載のＰＯＳ端末。
【請求項４】
装置導入情報管理サーバと、ＰＯＳ端末と、携帯通信端末と、を含む装置設置情報の管理システムであって、
前記装置導入情報管理サーバは、
前記ＰＯＳ端末の工場出荷時の装置導入情報が登録され、前記携帯通信端末から前記装置導入情報に含まれる、製品品番、製造番号、設置場所の情報である装置設置情報が送信されると、前記装置導入情報に前記装置設置情報を上書き保存して、前記携帯通信端末へ完了コードを送信し、
前記ＰＯＳ端末は、
前記携帯通信端末が前記完了コードを受信したときに、前記完了コードの入力を受け付ける入力手段と、
前記装置設置情報と前記装置導入情報管理サーバのクラウド上の情報資源の場所とその属性を指定するアドレスであるＵＲＬとをマトリックス型二次元コードに変換するコード変換手段と、を有し、
前記携帯通信端末は、
前記マトリックス型二次元コードを読み取るカメラスキャナと、
前記マトリックス型二次元コードに対応する前記ＵＲＬを表示する画面と、
前記ＵＲＬに前記装置設置情報を送信する送信手段と、
前記装置導入情報管理サーバからの完了コードを受信する受信手段と、
を有することを特徴とする装置設置情報の管理システム。
【請求項５】
ＰＯＳ端末の工場出荷時の装置導入情報が登録されたクラウド上のサーバと、所定の場所に設置されるＰＯＳ端末と、コード読取手段を有する携帯通信端末と、を用いた装置設置情報の管理方法であって、
前記装置導入情報の内の製品型番、製造番号、設置場所の情報である装置設置情報と、前記サーバのクラウド上の情報資源の場所とその属性を指定するアドレスであるＵＲＬとを前記ＰＯＳ端末がマトリックス型二次元コードに変換する第１処理と、
前記マトリックス型二次元コードを携帯通信端末のカメラスキャナで読み取る第２処理と、
前記マトリックス型二次元コードの読み取り後に、前記携帯通信端末から前記サーバへ前記装置設置情報を送信する第３処理と、
前記サーバに登録されている前記装置導入情報の内、送信された装置設置情報の製品型番、製造番号に対応する情報を検出する第４処理と、
検出された前記装置導入情報に前記装置設置情報を前記サーバが上書き保存する第５処理と、
を有することを特徴とする装置設置情報の管理方法。
【発明の詳細な説明】
【技術分野】
【０００１】
本発明は、販売時点情報管理(Point Of Sales system：以下「ＰＯＳ」という。)端末、ＰＯＳ端末を設置、移設等するときに必要になる設置場所等の情報である装置設置情報の管理システム及びその管理方法に関する。
【背景技術】
【０００２】
メーカは、工場出荷時の製品型番、製造番号、設置場所の情報である装置設置情報を装置導入情報管理サーバへ登録してからＰＯＳ端末を工場出荷する。装置設置情報の管理に関連して特許文献１には、被監視装置の設置時や移設時に被監視装置の通報機構のチェックを自動的に行えるようにして、被監視装置を円滑に運用状態へ移行させるとともに作業員に対する負担の軽減をはかるようにした遠隔監視システムが提案されている。
【先行技術文献】
【特許文献】
【０００３】
【特許文献１】特開２０００−３０６１４７号公報
【発明の概要】
【発明が解決しようとする課題】
【０００４】
従来の装置設置情報の管理方法は、工場出荷時の装置導入情報（装置の送り先情報）における設置場所と異なる設置場所にＰＯＳ端末が設置又は移設等された場合には、必ず、実際に設置又は移設された設置場所の情報が反映された装置設置情報が装置導入情報管理サーバに登録されていることを前提としている。
【０００５】
しかしながら、ＰＯＳ端末を実際に設置又は移設等した装置設置情報を店舗のＰＯＳ端末に入力しなくても装置の稼動を開始することができるため、工場出荷時の装置導入情報（装置の送り先情報）と実際の設置場所が反映された装置設置情報が違ったまま稼動されることが起こり得る。特に、ＰＯＳ端末を店舗へ（装置の送り先情報）又は移設した設置担当者が、メーカのカスタマーエンジニア（ＣＥ）、ディラー・販社の技術員等でない場合、装置設置情報の重要性への認識が低く、事務所に戻ってから専用管理端末（管理ＰＣ）より、装置導入情報管理サーバへ装置導入情報を登録しない場合がある。また、専用管理端末（管理ＰＣ）が無い状況もあり得る。
【０００６】
大方の場合、装置の送り先と装置の設置場所は同じことが多く、設置後に装置設置情報を変更することを忘れることが多い。
【０００７】
このような場合には、その後、メーカがリコール等で稼動している全てのＰＯＳ端末を改修しようとした場合に、稼動（設置）場所が判らずＰＯＳ端末のリコールに対応できない場合が起こり得る。
【０００８】
そこで、本発明は、工場出荷時の設置場所と異なる設置場所に設置又は移設された場合にも、稼動中の全てのＰＯＳ端末の稼動（設置）場所を把握できるＰＯＳ端末、装置設置情報の管理システム及び装置設置情報の管理方法を提供することを目的とする。
【課題を解決するための手段】
【０００９】
本発明の第１側面のＰＯＳ端末は、製品型番、製造番号、設置場所の情報である装置設置情報を入力する情報入力部と、前記装置設置情報を含む装置導入情報が登録されたサーバのクラウド上の情報資源の場所とその属性を指定するアドレス（uniform resource locator：以下「ＵＲＬ」という。）とを、マトリックス型二次元コードに変換して出力する変換手段と、前記マトリックス型二次元コードを表示する表示部と、を備えることを特徴とする。
【００１０】
第２側面の装置設置情報の管理システムは、装置導入情報管理サーバと、ＰＯＳ端末と、携帯通信端末と、を含む装置設置情報の管理システムであって、前記装置導入情報管理サーバは、前記ＰＯＳ端末の工場出荷時の装置導入情報が登録され、前記携帯通信端末から前記装置導入情報に含まれる、製品品番、製造番号、設置場所の情報である装置設置情報が送信されると、前記装置導入情報に前記装置設置情報を上書き保存して、前記携帯通信端末へ完了コードを送信し、前記ＰＯＳ端末は、前記携帯通信端末が前記完了コードを受信したときに、前記完了コードの入力を受け付ける入力手段と、前記装置設置情報と前記装置導入情報管理サーバのクラウド上の情報資源の場所とその属性を指定するアドレスであるＵＲＬとをマトリックス型二次元コードに変換するコード変換手段と、を有し、前記携帯通信端末は、前記マトリックス型二次元コードを読み取るカメラスキャナと、前記マトリックス型二次元コードに対応する前記ＵＲＬを表示する画面と、前記ＵＲＬに前記装置設置情報を送信する送信手段と、前記装置導入情報管理サーバからの完了コードを受信する受信手段と、を有することを特徴とする。
【００１１】
第３側面の装置設置情報の管理方法は、ＰＯＳ端末の工場出荷時の装置導入情報が登録されたクラウド上のサーバと、所定の場所に設置されるＰＯＳ端末と、コード読取手段を有する携帯通信端末と、を用いた装置設置情報の管理方法であって、前記装置導入情報の内の製品型番、製造番号、設置場所の情報である装置設置情報と、前記サーバのクラウド上の情報資源の場所とその属性を指定するアドレスであるＵＲＬとを前記ＰＯＳ端末がマトリックス型二次元コードに変換する第１処理と、前記マトリックス型二次元コードを携帯通信端末のカメラスキャナで読み取る第２処理と、前記マトリックス型二次元コードの読み取り後に、前記携帯通信端末から前記サーバへ前記装置設置情報を送信する第３処理と、前記サーバに登録されている前記装置導入情報の内、送信された装置設置情報の製品型番、製造番号に対応する情報を検出する第４処理と、検出された前記装置導入情報に前記装置設置情報を前記サーバが上書き保存する第５処理と、を有することを特徴とする。
【発明の効果】
【００１２】
本発明のＰＯＳ端末によれば、製品型番、製造番号及び設置場所の情報である装置設置情報を入力する情報入力部と、装置設置情報を含む装置導入情報が登録されたサーバのクラウド上のＵＲＬとを、マトリックス型二次元コードに変換して出力する変換手段と、マトリックス型二次元コードを表示する表示部と、を備えている。表示部に表示されたマトリックス型二次元コードを携帯通信端末のカメラスキャナで読み取り、携帯通信端末から読み取ったマトリックス型二次元コードに対応するＵＲＬのサーバへ装置設置情報を送信し、サーバに登録されている装置導入情報の内、製品型番、製造番号が同じものを検出して、検出された装置導入情報に装置設置情報を上書き保存することができる。これにより、ＰＯＳ端末の実際の設置場所の情報がサーバに反映されるので、ＰＯＳ端末が、工場出荷時の設置場所と異なる設置場所に設置又は移設された場合にも、稼動中の全てのＰＯＳ端末の稼動（設置）場所が判るＰＯＳ端末、装置設置情報の管理システム及びその管理方法を提供することが可能になる。
【図面の簡単な説明】
【００１３】
【図１】本発明の実施形態の装置設置情報の管理システムを示すシステム構成図
【図２】設置情報管理テーブルの一例を示す図
【図３】図１中のＰＯＳ端末の概略を示す機能ブロック図
【図４】ＰＯＳ端末の入力画面の一例を示す図
【図５】ＰＯＳ端末の装置設置情報の送信依頼画面の一例を示す図
【図６】図１中の携帯通信端末の概略を示す機能ブロック図
【図７】ＱＲコードをカメラスキャナで読み取ったときの携帯通信端末の表示画面の一例を示す図
【図８】図１中の装置導入情報管理サーバの概略を示す機能ブロック図
【図９】装置導入情報の概略を示す図
【図１０】従来の装置設置情報の管理システムを示すシステム構成図
【図１１】従来のＰＯＳ端末の開局処理を示すフローチャート
【図１２】本発明の実施形態のＰＯＳ端末の開局処理を示すフローチャート
【発明を実施するための形態】
【００１４】
以下に本発明の実施形態について図面を参照しながら詳細に説明する。
【００１５】
（システムの構成）
図１は、本発明の実施形態の装置設置情報の管理システムを示すシステム構成図であり、図２は、設置情報管理テーブルの一例を示す図である。
【００１６】
本発明の装置設置情報の管理システムは、各地区の複数の店舗に設置されたＰＯＳ端末１と、ＱＲコード読取機能を備えた携帯通信端末２と、クラウド上のＵＲＬを有しネットワーク３に接続された装置導入情報管理サーバ４と、営業事務所に設置された表示画面６を備える管理ＰＣ５と、により構成されている。
【００１７】
ＰＯＳ端末１は、各店舗に設置され、ＰＯＳ（point-of-sale）用のレジスタ機であり、従来のレジスタにバーコードスキャナなどを付加したもので、金銭登録以外に商品の種類・数、販売の時刻を伝達するなど各種機能を有している。
【００１８】
ＰＯＳ端末１の設置、移設、廃棄する際に、製品型番、製造番号、設置場所の情報を含む装置設置情報をＰＯＳ端末１に入力すると（図１中の(1)）、装置設置情報と装置導入情報管理サーバ４のクラウド上のＵＲＬとをマトリックス型二次元コードとしてのＱＲコード（登録商標）に変換し、変換したＱＲコードを画面に表示する。
【００１９】
ＰＯＳ端末の画面に表示されたＱＲコードを携帯通信端末２のカメラスキャナで読み取ると（図１中の(2)）、携帯通信端末２の表示画面に、装置導入情報管理サーバ４のクラウド上のＵＲＬが表示される。
【００２０】
携帯通信端末２から装置導入情報管理サーバ４へメールを送ると（図１中の(3)）、装置導入情報管理サーバ４は、送信された装置設置情報の内の製品型番及び製造番号が一致する装置導入情報を、図示しない設置情報管理テーブルから探し、製品型番及び製造番号が一致する装置導入情報に、装置設置情報を上書き保存すると、送信完了コードを携帯通信端末２に返信する（図１中の(4)）。
【００２１】
送信完了コードを受信すると、携帯通信端末２の表示画面に、送信完了コード、例えば、“１２３４”が表示される。ＰＯＳ端末１にこの送信完了コード“１２３４”を入力すると（図１中の(5)）、送信完了コードがＰＯＳ端末１に登録される。
【００２２】
ＰＯＳ端末１に登録されている装置設置情報における設置場所の情報が、装置導入情報管理サーバ４の有する図２の設置情報管理テーブルに反映されているので、営業事務所に設置された管理ＰＣ５により、営業統括範囲内に設置されているＰＯＳ端末１の設置場所を正確に把握することができる。
【００２３】
図２の設置情報管理テーブルには、番号１〜１１に、メーカ独自の型番である「製造型番」、装置の「製造番号」、設置日（送付日）、顧客（店舗）の名称である「顧客名」、顧客（店舗）の郵便番号である「顧客郵便番号」、顧客（店舗）の名称住所である「顧客住所」（設置場所）、メーカのグループ内の取引先名である「メーカ取引先名」、メーカ取引先の担当課名である「担当課名」、担当課の連絡先電話番号である「担当課連絡先」、担当課の郵便番号である「担当課郵便番号」及び担当課の住所である「担当課の住所」がそれぞれ登録されている。
【００２４】
本発明のＰＯＳ端末１の開局時に入力する装置設置情報は、装置導入情報の内の、番号１のＦ型（製造型番）と、番号２の製造番号と、番号５の顧客住所（設置場所）と、から構成されている。
【００２５】
尚、装置導入情報は、予め営業事務所に設置された表示画面６を備える管理ＰＣ５より入力されているものとし、その場合、図２の設置情報管理テーブルの設置日は装置の出荷日が、顧客郵便番号・顧客住所は装置の送り先が入力されているものとする。
（ＰＯＳ端末の構成）
図３は、図１中のＰＯＳ端末の概略を示す機能ブロック図である。
【００２６】
ＰＯＳ端末１は、装置全体を制御する制御部１０と、装置設置情報や送信完了コードの入力を受け付ける情報入力部１１と、装置設置情報と、装置導入情報管理サーバ４のクラウド上のＵＲＬと、をＱＲコードに変換して出力する変換手段１２と、入力画面や送信依頼画面を表示する表示部１３と、送信完了コードが入力されたときに送信完了コードを登録する記憶部１４と、を有している。
【００２７】
図４は、ＰＯＳ端末の入力画面の一例を示す図であり、図５は、ＰＯＳ端末の装置設置情報の送信依頼画面の一例を示す図である。
【００２８】
図４に示されたＰＯＳ端末の入力画面には、製造型番、製造番号、現調日、設置場所の入力項目と、各項目の入力領域が表示されている。例えば、製造型番：ＷＦ００１１、製造番号：０００１、設置日：２０１４/０８/０３、設置場所：〒154-0024 三軒茶屋と入力して、確定キーを押すと、図４に示された送信依頼画面へ移行する。
【００２９】
図５に示されたＰＯＳ端末の装置設置情報の送信依頼画面には、「装置設置情報の送信のお願い」というガイダンスが表示されている。このガイダンスの表示の下には、ＱＲコードが表示され、その下には、「(1)このコードをスマートフォンのカメラスキャナで読み取り、読み取り後、メール送信操作をお願いします。」及び「(2)送信完了コードを受信したら、下記に登録をお願いします。」のガイダンスが表示されている。更に、その下には、送信完了コードの入力エリアと、登録キーが表示されている。
【００３０】
送信完了コードの入力エリアに、例えば、送信完了コード“１２３４”を入力し、登録キーを押下すると、情報入力部１１から入力された送信完了コードが記憶部１４に登録される。
【００３１】
（携帯通信端末の構成）
図６は、図１中の携帯通信端末の概略を示す機能ブロック図である。
【００３２】
図１中の携帯通信端末２は、端末全体を制御する制御部２０と、ＱＲコード読取手段２１と、ＱＲコード、送信完了コード等を表示する表示部２２と、メール送信等の操作を行う操作部２３と、装置導入情報管理サーバ４との間で情報の送受信を行う送受信部２４と、アンテナ２５と、を有している。
【００３３】
図７（ａ）〜（ｃ）は、ＱＲコードをＱＲコード読取手段２１としてのカメラスキャナで読み取ったときの携帯通信端末２の表示画面の一例を示す図であり、図７（ａ）はＱＲコード読み取り直後の表示画面の一例を示す図であり、図７（ｂ）は図７（ａ）の画面で「選択」キーを押下したときに移行する表示画面の一例を示す図であり、図７（ｃ）は装置導入情報管理サーバ４からの送信完了コードを受信した後の表示画面の一例を示す図である。
【００３４】
ＱＲコード読取手段２１が、図５に示された送信依頼画面中のＱＲコードを読み取ると、図３中の変換手段１２がＱＲコードに変換した装置導入情報管理サーバ４のクラウド上のＵＲＬを表示部２３に表示する。図７（ａ）に示された画面には、装置導入情報管理サーバ４のＵＲＬとして、例えば、http://******.jp/9999が表示され、下部に、「読取」キー、「選択」キー、「保存」キーが表示されている。図７（ａ）に示された画面表示中に、「選択」キーを押下すると、図７（ｂ）に示された表示画面へ移行する。
【００３５】
図７（ｂ）に示された画面には、図７（ａ）と同様のＵＲＬ、http://******.jp/9999と、「ＵＲＬへジャンプ」のガイダンス表示と、「戻る」キー、「選択」キーが表示されている。図７（ｂ）に示された画面表示中に、「戻る」キーを押下すると、図７（ａ）に示された表示画面へ戻り、「選択」キーを押下すると、装置設置情報が添付されたメールが装置導入情報管理サーバ４のＵＲＬへ送信され、装置導入情報管理サーバ４が保持している装置導入情報に受信した装置設置情報を上書き保存すると、送信完了コードを返信する。
【００３６】
携帯通信端末２が、送信完了コードを受信すると、図７（ｃ）に示された表示画面へ移行する。図７（ｃ）に示された画面には、「登録が完了しました。」というガイダンスと、送信完了コードとして、例えば、“１２３４”が表示されている。この送信完了コード“１２３４”を上述した図５中の送信完了コードの入力エリアに登録することにより、ＰＯＳ端末１への送信完了コードを完了することができる。
【００３７】
（装置導入情報管理サーバの構成）
図８は、図１中の装置導入情報管理サーバの概略を示す機能ブロック図である。
【００３８】
図１中の装置導入情報管理サーバ４は、全体の制御を行う制御部３０と、アンテナ３１と、携帯通信端末２と無線で情報の送受信を行う送受信部３２と、設置情報管理テーブル３４等を記憶するメモリ３３と、ネットワーク３を介して管理ＰＣ５と有線で情報の送受信を行うネットワーク／インタフェース（ＮＷ／ＩＦ）部３５と、を有している。設置情報管理テーブル３４には、各店舗に設置されたＰＯＳ端末の設置日と顧客郵便番号・顧客住所（設置場所）等が登録されている。
【００３９】
図９は、装置導入情報の概略を示す図であり、装置導入情報には、装置を工場から出荷（送付先）する住所や装置の台数及び装置設置情報が登録されている。
【００４０】
（実施形態の動作）
本発明の実施形態の装置設置情報の管理システムの動作について、（Ｉ）従来のシステムと、（II）本発明の実施形態の装置設置情報の管理方法と、に分けて説明する。
【００４１】
（Ｉ）従来のシステム
図１０は、従来の装置設置情報の管理システムを示すシステム構成図であり、図１１は、従来のＰＯＳ端末の開局処理を示すフローチャートである。
【００４２】
従来の装置設置情報の管理システムは、各地区の複数の店舗に設置されたＰＯＳ端末１と、ネットワーク３に接続された装置導入情報管理サーバ４と、営業事務所に設置された表示画面６を備える管理ＰＣ５と、により構成されている。
【００４３】
図１１において、店舗に設定されたＰＯＳ端末１に電源が投入されると、開局処理が開始され、ステップＳ１へ進む。ステップＳ１において、ＰＯＳ端末１においてアプリケーションが起動され、ステップＳ２へ進む。ステップＳ２において、ＰＯＳ端末１の表示画面上にＰＯＳ開局画面を表示し、ステップＳ３へ進む。ステップＳ３において、担当者コードが入力されると、開局処理を終了する。
【００４４】
図１０に戻り、開局処理が終了した後に、開局処理を行った担当者（ＣＥ等）が営業事務所に戻ってから営業事務所に設置された管理ＰＣ５から装置導入情報管理サーバ４内の設置情報管理テーブル３４へ装置設置情報を入力していた。
【００４５】
従来の装置設置情報の管理システムでは、装置設置情報を入力しなくても、ＰＯＳ端末１を開局することができた。又、ＰＯＳ端末１の設置担当者と、営業事務所の管理ＰＣ５の管理者が異なる場合には、ＰＯＳ端末１の装置設置情報が設置情報管理テーブル３４に反映されないこともあった。そのため、全てのＰＯＳ端末１の装置設置情報を営業事務所の管理ＰＣ５から正しく把握できないおそれがあった。
【００４６】
そこで、本発明の装置設置情報の管理方法では、ＰＯＳ端末１への装置設置情報の入力と、ＰＯＳ端末１に入力した装置設置情報を設置情報管理テーブル３４に反映した後に、ＰＯＳ端末１のアプリケーションを起動するようにしている。
【００４７】
（II）本発明の実施形態の装置設置情報の管理方法
図１２は、本発明の実施形態のＰＯＳ端末の開局処理を示すフローチャートである。
【００４８】
図１〜図９を参照しつつ、図１２に示されたフローチャートに沿って、装置設置情報の管理方法の処理について説明する。
【００４９】
図１２において、店舗に設定されたＰＯＳ端末１に電源が投入されると、開局処理が開始され、ステップＳ０へ進む。ステップＳ０において、制御部１０は。装置設置情報は送信済（送信完了コード登録済）か否かを判断し、送信済であれば（Ｙｅｓ）、ステップＳ１へ進み、送信済でなければ（Ｎｏ）、ステップＳ１１へ進む。ステップＳ１１において、制御部１０は、装置設置情報が入力済みか否かを判断し、入力済みであれば（Ｙｅｓ）、ステップＳ１４へ進み、入力済みでなければ（Ｎｏ）、ステップＳ１２へ進む。ステップＳ１２へ進むと、制御部１０は、表示部１３に図４に示されたような装置設置情報の入力画面を表示し、ステップＳ１３へ進む。ステップＳ１３において、製造型番、製造番号、設置日、及び設置場所が入力され、登録キーが押下されると、ステップＳ１４へ進む。
【００５０】
ステップＳ１４において、制御部１０は、表示部１３に図５に示されたような装置設置情報の送信依頼画面を表示し、ステップＳ１５へ進む。店舗へのＰＯＳ端末１の設置担当者が、図５に示された装置設置情報の送信依頼画面のガイダンスに従って、携帯通信端末２でＰＯＳ端末１の画面上に表示されたＱＲコードを読み取り、設置導入情報サーバ４にメールを送信し、装置導入情報管理サーバ４からの送信完了コードを受信する。
【００５１】
ステップＳ１５において、制御部１０は、送信完了コードが入力されるのを待って、送信完了コードが入力されると（Ｙｅｓ）、ステップＳ１へ進む。ステップＳ１において、ＰＯＳ端末１においてアプリケーションが起動され、ステップＳ２へ進む。ステップＳ２において、ＰＯＳ端末１の表示画面上にＰＯＳ開局画面を表示し、ステップＳ３へ進む。ステップＳ３において、担当者コードが入力されると、開局処理を終了する。
【００５２】
本発明の実施形態のＰＯＳ端末の開局処理では、従来のＰＯＳ端末の開局処理のステップＳ１〜Ｓ３の処理の前に、ステップＳ０及びＳ１１〜Ｓ１５の処理が追加されている。このステップＳ０及びＳ１１〜Ｓ１５の処理により、ＰＯＳ端末１の開局処理の前に、ＰＯＳ端末１への装置設置情報の入力と、ＰＯＳ端末１に入力した装置設置情報の設置情報管理テーブル３４への反映が行われる。
【００５３】
（実施形態の効果）
本発明のＰＯＳ端末、装置設置情報の管理システム及び装置設置情報の管理方法によれば、各店舗にＰＯＳ端末１を設置する際に、装置設置情報を入力しなければならず、営業事務所へ行くことなく、携帯通信端末２を利用して、ＰＯＳ端末１へ入力した装置設置情報を設置情報管理テーブル３４へ反映させることが可能になる。
【００５４】
（変形例）
本発明の変形例として、以下の（ａ）、（ｂ）のようなものが考えられる。
【００５５】
（ａ）  本発明の実施形態の説明では、ＰＯＳ端末の導入（開局）時を例にして説明したが、本発明の装置設置情報の管理方法は、導入時に限定されず、例えば、移設時、廃棄時にも適用可能である。移設時には、レシートのコマーシャルメッセージに移設先の住所を登録するので、この登録後にステップＳ１２〜Ｓ１５の処理を行い、廃棄時には、図示しない廃棄処理ボタンを押下された時にＰＯＳメモリをクリアやディスクロック等を行った後に、ステップＳ１２〜Ｓ１５の処理を行えば良い。但し、廃棄の場合の装置設置情報は、例えば、ＡＬＬ＊等に置き換えるものとする。
【００５６】
（ｂ）  本発明の実施形態の装置設置情報の管理方法の説明では、装置はＰＯＳ端末であるとして説明したが、設置場所を管理する必要がある装置一般に適用可能がある。
【００５７】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００５８】
１                                          ＰＯＳ端末
２                                          ＱＲコード読取機能付携帯通信端末
３                                          ネットワーク
４                                          装置導入情報管理サーバ
５                                          管理ＰＣ
６                                          表示画面
１０、２０、３０                              制御部
１１                                          情報入力部
１２                                          変換手段
１３、２２                                    表示部
１４、３３                                    記憶部（メモリ）
２１                                          ＱＲコード読取手段
２３                                          操作部
２４、３２                                    送受信部
２５、３１                                    アンテナ
３４                                          設置情報管理テーブル
３５                                          ＮＷ/ＩＦ部
【図１】
2016146138.tif 000003
【図２】
2016146138.tif 000004
【図３】
2016146138.tif 000005
【図４】
2016146138.tif 000006
【図５】
2016146138.tif 000007
【図６】
2016146138.tif 000008
【図７】
2016146138.tif 000009
【図８】
2016146138.tif 000010
【図９】
2016146138.tif 000011
【図１０】
2016146138.tif 000012
【図１１】
2016146138.tif 000013
【図１２】
2016146138.tif 000014